(57)【要約】【課題】本発明は、太陽電池パネル架台を必要とせずに、太陽電池パネルの設置を行うことができる太陽電池パネルの設置工法及び太陽電池パネルの設置構造を提供することを目的とするものである。【解決手段】地表面１を切土して、第１の傾斜面３を形成する工程と、切土した土砂を地表面１に盛土する工程と、この盛土に、傾斜が第１の傾斜面３と略同一の第２の傾斜面４を形成する工程と、第１の傾斜面３と第２の傾斜面４に対して太陽電池パネル８を設置する設置工程とを備える。【選択図】図３
2014091953.tif 000002
【特許請求の範囲】
【請求項１】
地表面を切土して、第１の傾斜面を形成する工程と、
前記切土した土を地表面に盛土する工程と、
該盛土に、傾斜が前記第１の傾斜面と略同一の第２の傾斜面を形成する工程と、
前記第１の傾斜面と第２の傾斜面に太陽電池パネルを設置する設置工程とを備える
太陽電池パネルの設置工法。
【請求項２】
前記設置工程は、太陽電池パネルを前記第１の傾斜面及び前記第２の傾斜面から所定高さの位置に架設する
請求項１に記載の太陽電池パネルの設置工法。
【請求項３】
前記盛土を地盤改良材で固める
請求項１または請求項２に記載の太陽電池パネルの設置工法。
【請求項４】
前記第１の傾斜面及び前記第２の傾斜面に基板を設ける基板設置工程を備える
請求項１、請求項２または請求項３に記載の太陽電池パネルの設置工法。
【請求項５】
前記基板設置工程は、前記基板にアンカーボルトを設置し、該アンカーボルトに前記太陽電池パネルを取り付ける
請求項４に記載の太陽電池パネルの設置工法。
【請求項６】
前記太陽電池パネルは、前記基板から略１０ｃｍの高さの位置とする
請求項４または請求項５に記載の太陽電池パネルの設置工法。
【請求項７】
前記基板をコンクリートで形成する
請求項４、請求項５または請求項６に記載の太陽電池パネルの設置工法。
【請求項８】
地表面に傾斜面を形成する工程と、
該傾斜面の中で、少なくとも太陽電池パネルが設置される領域にコンクリート製基板を設ける工程と、
該コンクリート製基板上に太陽電池パネルを設置する工程とを備える
太陽電池パネルの設置工法。
【請求項９】
地表面を切土して形成された第１の傾斜面と、
前記切土した土で地表面に形成された盛土と、
該盛土に、傾斜が前記第1の傾斜面と略同一に形成された第２の傾斜面と、
前記第１の傾斜面と第２の傾斜面に設置されたコンクリート製基板と、
該コンクリート製基板に設置された所定高さのアンカーボルトと、
該アンカーボルトに取り付けられた太陽電池パネルとを備える
太陽電池パネルの設置構造。
【請求項１０】
前記コンクリート製基板は、少なくとも前記太陽電池パネルが取り付けられる領域に設置された
請求項９に記載の太陽電池パネルの設置構造。
【請求項１１】
地表面に形成された傾斜面と、
該傾斜面の中で、少なくとも太陽電池パネルが設置される領域に設けられたコンクリート製基板と、
該コンクリート製基板上に設置された太陽電池パネルとを備える
太陽電池パネルの設置構造。
【発明の詳細な説明】
【技術分野】
【０００１】
本発明は、太陽電池パネルの設置工法及び太陽電池パネルの設置構造に関する。詳しくは、地表面に太陽電池パネルを設置する太陽電池パネルの設置工法及び、この太陽電池パネルの設置構造に係るものである。
【背景技術】
【０００２】
従来、太陽電池パネルは、日照時間が最も長い南向きに、かつ太陽からの光が略直角状に入射する傾斜角度をもって設置することが要求されている。
例えば、南向きの屋根では、屋根に適度な傾斜があるために、屋根上に太陽電池パネルを直に設置することが多い。
【０００３】
しかし、南向きであっても平坦状のベランダや地表面では、太陽電池パネルを所定角度で設置することができないために、所定角度に設定された太陽電池パネル用架台に太陽電池パネルが取り付けられる。
また、急斜面に太陽電池パネルを設置する場合には、斜面を水平状に切土して段部を形成して、この段部に所定角度に設定された太陽電池パネル用架台が設置される。
【０００４】
このような太陽電池パネル用架台として、例えば特許文献１に記載されたものが知られている。
具体的には、図７に示すように、立脚部材１０１が複数台互いに平行に配置され、それらの立脚部材１０１間を橋渡するように隣接する立脚部材１０１間で共通のパネル支持棒１０２が保持されている。
【０００５】
ここで、パネル支持棒１０２は互いに平行にかつ互いに段差をもって配置され、この立脚部材１０１は、３本の支柱１０３、１０４及び１０５により構成されている。
【先行技術文献】
【特許文献】
【０００６】
【特許文献１】特開２０１２−１６２９３０号公報
【発明の概要】
【発明が解決しようとする課題】
【０００７】
しかしながら上述の特許文献１に記載された太陽電池パネル用架台は、起伏のある土地では、太陽電池パネル用架台を設置する地表面を平坦状に整地しなければならない。
【０００８】
また、傾斜した土地に太陽電池パネルを設置する場合には、土地の傾斜角度に応じて架台の組み直しが必要となる。
【０００９】
本発明は、以上の点に鑑みて創案されたものであって、太陽電池パネル架台を必要とせずに、太陽電池パネルの設置を行うことができる太陽電池パネルの設置工法及び太陽電池パネルの設置構造を提供することを目的とするものである。
【課題を解決するための手段】
【００１０】
上記の目的を達成するために、本発明に係る太陽電池パネルの設置工法は、地表面を切土して、第１の傾斜面を形成する工程と、前記切土した土を地表面に盛土する工程と、該盛土に、傾斜が前記第１の傾斜面と略同一の第２の傾斜面を形成する工程と、前記第１の傾斜面と第２の傾斜面に太陽電池パネルを設置する設置工程とを備える。
【００１１】
ここで、地表面を切土して、第１の傾斜面を形成することによって、この切土した土を盛土に利用することができる。
【００１２】
また、切土した土を地表面に盛土し、この盛土に、傾斜が第１の傾斜面と略同一の第２の傾斜面を形成することによって、第１の傾斜面と第２の傾斜面上に太陽電池パネルを設置する領域を形成することができる。
【００１３】
また、第１の傾斜面と第２の傾斜面に太陽電池パネルを設置することによって、太陽光電池パネル專用の架台を必要とせずに設置することができる。
【００１４】
また、本発明に係る太陽電池パネルの設置工法において、設置工程が、太陽電池パネルを第１の傾斜面及び第２の傾斜面から所定高さの位置に架設する場合には、地表面から離すことで湿気による影響を抑制することができる。
【００１５】
また、本発明に係る太陽電池パネルの設置工法において、盛土を地盤改良材で固める場合には、風雨等による盛土の型崩れ、あるいは表土の流出を抑制することができる。
【００１６】
また、本発明に係る太陽電池パネルの設置工法において、設置面に基板を設ける基板設置工程を備える場合には、第１の傾斜面及び第２の傾斜面からの湿気を遮断し、かつ雑草が生えるのを阻止することができる。
【００１７】
また、本発明に係る太陽電池パネルの設置工法において、基板設置工程が、基板にアンカーボルトを設置し、アンカーボルトに太陽電池パネルを取り付ける場合には、太陽電池パネルを所定高さに容易に取り付けることができる。
【００１８】
また、本発明に係る太陽電池パネルの設置工法において、太陽電池パネルを、基板から略１０ｃｍの高さの位置とする場合には、湿気によって太陽電池パネルの電気系統に悪影響を及ぼさず、かつ強風の影響を受け難くすることができる。
【００１９】
また、本発明に係る太陽電池パネルの設置工法において、基板をコンクリートで形成する場合には、第１の傾斜面及び第２の傾斜面の状況に応じての基板の形成が可能となる。
例えば、第１の傾斜面及び第２の傾斜面上に型枠を設けて、コンクリートを流し込むことで第１の傾斜面及び第２の傾斜面上が凹凸状であっても密着した基板を設けることができる。
【００２０】
また、上記の目的を達成するために、本発明に係る太陽電池パネルの設置工法は、地表面に傾斜面を形成する工程と、該傾斜面の中で、少なくとも太陽電池パネルが設置される領域にコンクリート製基板を設ける工程と、該コンクリート製基板上に太陽電池パネルを設置する工程とを備える。
【００２１】
ここで、地表面に傾斜面を形成することによって、太陽電池パネルを設置する領域を形成することができる。
【００２２】
また、傾斜面の中で、少なくとも太陽電池パネルが設置される領域にコンクリート製基板を設け、このコンクリート製基板上に太陽電池パネルを設置することによって、傾斜面からの湿気を遮断し、かつ雑草が生えるのを阻止することができる。
例えば、太陽電池パネルが設置される南側の領域にコンクリート製基板を設けることで、雑草が生えた場合の雑草の影による受光の妨げを抑止することができる。
【００２３】
また、上記の目的を達成するために、本発明に係る太陽電池パネルの設置構造は、地表面を切土して形成された第１の傾斜面と、前記切土した土で地表面に形成された盛土と、該盛土に、傾斜が前記第１の傾斜面と略同一に形成された第２の傾斜面と、前記第１の傾斜面と第２の傾斜面に設置されたコンクリート製基板と、該コンクリート製基板に設置された所定高さのアンカーボルトと、該アンカーボルトに取り付けられた太陽電池パネルとを備える。
【００２４】
ここで、地表面を切土して第１の傾斜面が形成されたことによって、切土した土を盛土に利用することができる。
【００２５】
また、地表上に形成された盛土に、傾斜が第１の傾斜面と略同一の第２の傾斜面が形成されたことによって、第１の傾斜面と第２の傾斜面上に太陽電池パネルを設置する領域を形成することができる。
【００２６】
また、第１の傾斜面と第２の傾斜面に設置されたコンクリート製基板によって、第１の傾斜面及び第２の傾斜面からの湿気を遮断し、かつ雑草が生えるのを阻止することができる。
【００２７】
また、コンクリート製基板に設置された所定高さのアンカーボルトによって、太陽電池パネルを所定の高さに取り付けることができる。
【００２８】
また、本発明に係る太陽電池パネルの設置構造において、コンクリート製基板が、少なくとも太陽電池パネルが取り付けられる領域に設置された場合には、第１の傾斜面と第２の傾斜面からの湿気を遮断し、かつ雑草が生えるのを阻止することができる。
例えば、太陽電池パネルが設置される南側の領域にコンクリート製基板を設けることで、雑草が生えた場合の雑草の影による受光の妨げを抑止することができる。
【００２９】
また、上記の目的を達成するために、本発明に係る太陽電池パネルの設置構造は、地表面に形成された傾斜面と、該傾斜面の中で、少なくとも太陽電池パネルが取り付けられる領域に設置されたコンクリート製基板と、該コンクリート製基板上に対して設置された太陽電池パネルとを備える。
【００３０】
ここで、地表面に傾斜面が形成されたことによって、太陽電池パネルを設置する領域を形成することができる。
【００３１】
また、傾斜面の中で、少なくとも太陽電池パネルが設置される領域に設けられたコンクリート製基板によって、傾斜面からの湿気を遮断し、かつ雑草が生えるのを阻止することができる。
例えば、太陽電池パネルが設置される南側の領域にコンクリート製基板を設けることで、雑草が生えた場合の雑草の影による受光の妨げを抑止することができる。
【発明の効果】
【００３２】
本発明の太陽電池パネルの設置工法によれば、太陽電池パネル架台を必要とせずに、太陽電池パネルの設置を行うことが可能となる。
また、本発明の太陽電池パネルの設置構造によれば、太陽電池パネル架台を必要とせずに太陽電池パネルの設置が可能な構造とすることが可能となる。
【図面の簡単な説明】
【００３３】
【図１】本発明を適用した太陽電池パネルの設置工法の一例の第１工程を説明するための断面模式図である。
【図２】本発明を適用した太陽電池パネルの設置工法の一例の第２工程を説明するための模式図である。
【図３】本発明を適用した太陽電池パネルの設置工法の一例の第３工程を説明するための模式図である。
【図４】本発明を適用した太陽電池パネルの設置工法の他の例の第１工程を説明するための断面模式図である。
【図５】本発明を適用した太陽電池パネルの設置工法の他の例の第２工程を説明するための模式図である。
【図６】本発明を適用した太陽電池パネルの設置工法の他の例の第３工程を説明するための模式図である。
【図７】従来の太陽電池パネル用架台の一例を説明するための模式図である。
【発明を実施するための形態】
【００３４】
以下、本発明の実施の形態を図面を参酌しながら詳述する。
【００３５】
＜第１の実施の形態＞
図１（Ａ）は本発明を適用した太陽電池パネルの設置工法の一例の第１工程の切土を説明するための断面模式図、図１（Ｂ）は本発明を適用した太陽電池パネルの設置工法の一例の第１工程の盛土を説明するための断面模式図である。また、図２（Ａ）は本発明を適用した太陽電池パネルの設置工法の一例の第２工程を説明するための断面模式図、図２（Ｂ）は本発明を適用した太陽電池パネルの設置工法の一例の第２工程を説明するための平面模式図である。更に、図３（Ａ）は本発明を適用した太陽電池パネルの設置工法の一例の第３工程を説明するための断面模式図、図３（Ｂ）は本発明を適用した太陽電池パネルの設置工法の一例の第３工程を説明するための平面模式図である。
【００３６】
［第１の工程］
本発明を適用した太陽電池パネルの設置工法の一例（第１の実施の形態）では、先ず、第１の工程として、平坦状の地表面１に約２００ｃｍの間隔ごとに、幅が約９０ｃｍ、深さが約３０ｃｍの領域の土砂２を切土することで、その断面が逆三角形状の溝部１１を形成する（図１（Ａ）、（Ｂ）参照）。
【００３７】
このように切土することで、溝部１１面に太陽電池パネルの設置に適した角度の第１の傾斜面３を形成する。
【００３８】
更に、掘削した土砂２は、地盤改良材（図示せず）を混合した状態で、地表面１上に盛土して傾斜が第１の傾斜面３と略同じとした第２の傾斜面４を形成する（図１（Ｂ）参照）。
【００３９】
［第２の工程］
次に、第２の工程として、上記した第１の工程で形成された第１の傾斜面３及び第２の傾斜面４上に、縦長さが約１００ｃｍ、横長さ約６０ｃｍ及び厚さが約１０ｃｍの鉄筋を組み込んだコンクリート製基板６を設置する。
【００４０】
このコンクリート製基板６の上面１０の各コーナー部分に、高さが約１０ｃｍとしたアンカーボルト７をコンクリート製基板６の上面１０に対して直角状に配置する。
【００４１】
なお、コンクリート製基板６を作成するに当たっては、第１の傾斜面３及び第２の傾斜面４上に型枠（図示せず。）を組立て、この型枠内に鉄筋（図示せず。）組み入れる。その後に、コンクリートを流し込んでアンカーボルト７を差し込み、養生することで鉄筋を組み込んだコンクリート製基板６を作成することができる。
【００４２】
［第３の工程］
続いて、第３の工程として、上記した第２の工程でコンクリート製基板６上に配置したアンカーボルト７の先端部に、縦長さが約１００ｃｍ及び横長さが約６０ｃｍとした太陽電池パネル８をコンクリート製基板６上に略１０ｃｍ高さに略平行状となるように取り付ける。
【００４３】
また、太陽電池パネル８は、その上端９が第２の傾斜面４の上端より略２０ｃｍほど突出した状態で取り付ける。
【００４４】
更に、第１の傾斜面３及び第２の傾斜面４と向き合う傾斜面１３に厚さが約５ｃｍとしたコンクリート板１２を形成する。
【００４５】
なお、本実施の形態では、盛土を行う場合に、土砂を地盤改良材で固めるものであるが、本発明の太陽電池パネルの設置工法が、地表面を切土して、第１の傾斜面を形成する工程と、切土した土を地表面に盛土する工程と、盛土に、傾斜が第１の傾斜面と略同一の第２の傾斜面を形成する工程と、第１の傾斜面と第２の傾斜面に太陽電池パネルを設置する設置工程とを備えていれば、必ずしも地盤改良材を使用する必要性はない。
【００４６】
しかし、盛土を行う場合に、土砂を地盤改良材で固めることで盛土の型崩れを阻止することができるために地盤改良材を使用することが望ましい。
【００４７】
また、本実施の形態では、第１の傾斜面及び第２の傾斜面上に基板を設けるものであるが、本発明の太陽電池パネルの設置工法が、地表面を切土して、第１の傾斜面を形成する工程と、切土した土を地表面に盛土する工程と、盛土に、傾斜が第１の傾斜面と略同一の第２の傾斜面を形成する工程と、第１の傾斜面と第２の傾斜面に太陽電池パネルを設置する設置工程とを備えていれば、必ずしも基板を設ける必要性はない。
【００４８】
しかし、基板を設けた場合には、第１の傾斜面及び第２の傾斜面の表土の流出の防止、あるいは雑草を阻止することができるために基板を設けることが望ましい。
【００４９】
また、本実施の形態では、基板をコンクリートで形成するものであるが、本発明の太陽電池パネルの設置工法が、地表面を切土して、第１の傾斜面を形成する工程と、切土した土を地表面に盛土する工程と、盛土に、傾斜が第１の傾斜面と略同一の第２の傾斜面を形成する工程と、第１の傾斜面と第２の傾斜面に太陽電池パネルを設置する設置工程とを備えていれば、必ずしも基板をコンクリートで形成する必要性はない。
【００５０】
しかし、現場の状況に応じて作成でき、かつ強耐性に優れた鉄筋を組み込むことができるコンクリートで基板を形成することが望ましい。
【００５１】
また、本実施の形態では、コンクリート製基板上に太陽電池パネルを架設するためにアンカーボルトを配置するものであるが、本発明の太陽電池パネルの設置工法が、地表面を切土して、第１の傾斜面を形成する工程と、切土した土を地表面に盛土する工程と、盛土に、傾斜が第１の傾斜面と略同一の第２の傾斜面を形成する工程と、第１の傾斜面と第２の傾斜面に太陽電池パネルを設置する設置工程とを備えていれば、必ずしもアンカーボルトを設ける必要性はない。
【００５２】
しかし、コンクリート製基板を設ける場合に、アンカーボルトを組み込むことで太陽電池パネルの設置を容易、かつ強固に行うことができるためにアンカーボルトを設けることが望ましい。
【００５３】
また、本実施の形態では、コンクリート製基板から１０ｃｍの高さに太陽電池パネルを架設するものであるが、本発明の太陽電池パネルの設置工法が、地表面を切土して、第１の傾斜面を形成する工程と、切土した土を地表面に盛土する工程と、盛土に、傾斜が第１の傾斜面と略同一の第２の傾斜面を形成する工程と、第１の傾斜面と第２の傾斜面に太陽電池パネルを設置する設置工程とを備えていれば、必ずしも太陽電池パネルを基板から略１０ｃｍの高さとする必要性はない。
【００５４】
しかし、湿気等による電気系統に影響を受けなく、かつ、風圧等の影響を考慮した場合に、約１０ｃｍの高さとすることが望ましい。
【００５５】
また、本実施の形態では、第１の傾斜面及び第２の傾斜面に向き合う傾斜面にコンクリート板を形成するものであるが、必ずしもコンクリート板を形成する必要性はない。
【００５６】
しかし、太陽電池パネルによる発電効率の向上、あるいは傾斜面の表土の流出の防止や雑草を阻止することを考慮した場合に、コンクリート板を形成することが望ましい。
【００５７】
以上の構成よりなる本発明を適用した太陽電池パネルの設置工法では、所定の傾斜角度を必要とする平坦状の土地を切土し、その切土した土砂を盛土することで太陽電池パネルの設置に適した傾斜面を形成することが可能となる。
【００５８】
これにより、太陽電池パネルの架台を必要とせずに太陽電池パネルを設置することが可能となる。
【００５９】
また、全方位、どのような形状の土地にも太陽電池パネルの設置が可能となると共に、工期の短縮とコストの低減が可能となる。
【００６０】
また、太陽電池パネルを設置する第１の傾斜面及び第２の傾斜面上にコンクリート製基板を設けることで風雨による表土の流出を防ぐと共に、雑草が生えるのを防止することができる。
【００６１】
更に、雑草を生やさないために、コンクリート製基板を太陽電池パネルの南側の領域に設けることで、受光の妨げを抑制することが可能となる。
なお、コンクリートの施工性を考慮すると、第１の傾斜面及び第２の傾斜面の全面にコンクリート製基板を形成することが望ましい。
【００６２】
また、それぞれの第１の傾斜面及び第２の傾斜面に取り付けた太陽電池パネル間の傾斜面にコンクリート板を形成することで、太陽光がコンクリート板に反射して太陽電池パネルの発電効率が上がる。
【００６３】
更に、コンクリート板を設けることで風雨による表土の流出を防ぐと共に、雑草が生えるのを防止することができる。
【００６４】
また、地表面に溝部を形成することで雨水を集水して排水することが可能となる。
【００６５】
次に、上述した本発明を適用して太陽電池パネルの設置工法で設置された太陽電池パネルの設置構造について説明する。
即ち、前記図３に示すように、地表面１を切土によって第１の傾斜面３が形成されると共に、地表面１上に切土によって掘削された土砂２を盛土して傾斜が第１の傾斜面３と略同一の第２の傾斜面４が形成されている。
【００６６】
更に、第１の傾斜面３と第２の傾斜面４上に、縦長さが約１００ｃｍ、横長さ約６０ｃｍ及び厚さが約１０ｃｍの鉄筋を組み込んだコンクリート製基板６が設置されている。
【００６７】
このコンクリート製基板６の上面１０の各コーナー部分に、高さが約１０ｃｍとしたアンカーボルト７がコンクリート製基板６の上面１０に対して直角状に配置されている。
【００６８】
ここで、コンクリート製基板６上に配置されたアンカーボルト７の先端部に、縦長さが約１００ｃｍ及び横長さが約６０ｃｍとした太陽電池パネル８が、コンクリート製基板６上に略１０ｃｍ高さに略平行状となるように取り付けられている。
また、太陽電池パネル８は、その上端９が第２の傾斜面４の上端より略２０ｃｍほど突出した状態で取り付けられている。
【００６９】
更に、第１の傾斜面３及び第２の傾斜面４に向き合う傾斜面１３に厚さが約５ｃｍとしたコンクリート板１２が形成されている。
【００７０】
なお、本実施の形態では、コンクリート製基板から１０ｃｍの高さに太陽電池パネルが架設されるものであるが、太陽電池パネルの設置構造が、地表面を切土して形成された第１の傾斜面と、切土した土で地表面に形成された盛土と、盛土に、傾斜が第１の傾斜面と略同一に形成された第２の傾斜面と、第１の傾斜面と第２の傾斜面に設置されたコンクリート製基板と、コンクリート製基板に設置された所定高さのアンカーボルトと、アンカーボルトに取り付けられた太陽電池パネルとを備えていれば、必ずしも太陽電池パネルを基板から略１０ｃｍの高さとする必要性はない。
【００７１】
しかし、湿気等による電気系統に影響を受けなく、かつ、風圧等の影響を考慮した場合に、約１０ｃｍの高さとすることが望ましい。
【００７２】
また、本実施の形態では、太陽電池パネルの南側の領域にコンクリート製基板が設けられた構成とするものであるが、太陽電池パネルの設置構造が、地表面を切土して形成された第１の傾斜面と、切土した土で地表面に形成された盛土と、盛土に、傾斜が第１の傾斜面と略同一に形成された第２の傾斜面と、第１の傾斜面と第２の傾斜面に設置されたコンクリート製基板と、コンクリート製基板に設置された所定高さのアンカーボルトと、アンカーボルトに取り付けられた太陽電池パネルとを備えていれば、必ずしも太陽電池パネルの南側の領域にコンクリート製基板を設ける必要性はない。
【００７３】
しかし、雑草を生やさないために、コンクリート製基板を太陽電池パネルの南側の領域に設けることで、受光の妨げを抑制することが可能となるために太陽電池パネルの南側の領域にコンクリート製基板を設けることが望ましい。
【００７４】
また、本実施の形態では、第１の傾斜面及び第２の傾斜面に向き合う傾斜面にコンクリート板を形成するものであるが、必ずしもコンクリート板を形成する必要性はない。
【００７５】
しかし、太陽電池パネルによる発電効率の向上、あるいは傾斜面の表土の流出の防止や雑草を阻止することを考慮した場合に、コンクリート板を形成することが望ましい。
【００７６】
以上の構成よりなる本発明を適用した太陽電池パネルの設置構造では、前記太陽電池パネルの設置工法と同様に、地表面に太陽電池パネルの設置に適した傾斜面が形成されることで架台を必要とせずに太陽電池パネルを設置することが可能となる。
【００７７】
また、第１の傾斜面及び第２の傾斜面上にコンクリート製基板が設けられることで風雨による表土の流出を防ぐと共に、雑草が生えるのを防止することができる。
【００７８】
更に、雑草を生やさないために、太陽電池パネルの南側の領域にコンクリート製基板が設けることで、受光の妨げを抑制することが可能となる。
【００７９】
また、それぞれの第１の傾斜面及び第２の傾斜面に取り付けた太陽電池パネル間の傾斜面にコンクリート板が形成されることで、太陽光がコンクリート板に反射して太陽電池パネルの発電効率が上がる。
【００８０】
更に、コンクリート板が設けられることで風雨による表土の流出を防ぐと共に、雑草が生えるのを防止することが可能となる。
【００８１】
＜第２の実施の形態＞
図４（Ａ）は本発明を適用した太陽電池パネルの設置工法の他の例の第１工程の切土を説明するための断面模式図、図４（Ｂ）は本発明を適用した太陽電池パネルの設置工法の他の例の第１工程の盛土を説明するための断面模式図である。また、図５（Ａ）は本発明を適用した太陽電池パネルの設置工法の他の例の第２工程を説明するための断面模式図、図５（Ｂ）は本発明を適用した太陽電池パネルの設置工法の他の例の第２工程を説明するための平面模式図である。更に、図６（Ａ）は本発明を適用した太陽電池パネルの設置工法の他の例の第３工程を説明するための断面模式図、図６（Ｂ）は本発明を適用した太陽電池パネルの設置工法の他の例の第３工程を説明するための平面模式図である。
【００８２】
［第１の工程］
本発明を適用した太陽電池パネルの設置工法の他の例（第２の実施の形態）では、先ず、第１の工程として、急な傾斜状とされた地表面１Ａに水平距離で約２５０ｃｍの間隔で幅約９０ｃｍの領域の土砂２Ａを切土することで、その断面の各辺が約１対２の割合となる逆三角形状の溝部１１Ａを形成する（図４（Ａ）、（Ｂ）参照）。
【００８３】
このように切土することで、溝部１１Ａ面に太陽電池パネルの設置に適した第１の傾斜面３Ａを形成する。
【００８４】
更に、掘削した土砂２Ａは、地盤改良材（図示せず。）を混合した状態で、地表面１Ａ上に盛土して傾斜が第１の傾斜面３Ａと略同じとした第２の傾斜面４Ａを形成する。（図４(Ｂ)参照）。
【００８５】
［第２の工程］
次に、第２の工程として、上記した第１の工程で形成された第１の傾斜面３Ａ及び第２の傾斜面４Ａ上に、縦長さが約１００ｃｍ、横長さ約６０ｃｍ及び厚さが約１０ｃｍの鉄筋を組み込んだコンクリート製基板６Ａを設置する。
【００８６】
このコンクリート製基板６Ａの上面１０の各コーナー部分に、高さが約１０ｃｍとしたアンカーボルト７がコンクリート製基板６Ａの上面１０に対して直角状に配置されている。
【００８７】
なお、コンクリート製基板６Ａを作成するに当たっては、第１の傾斜面３Ａ及び第２の傾斜面４Ａ上に型枠（図示せず。）を組立て、この型枠内に鉄筋（図示せず。）組み入れる。その後に、コンクリートを流し込んでアンカーボルト７を差し込み、養生することで鉄筋を組み込んだコンクリート製基板６Ａを作成することができる。
【００８８】
［第３の工程］
続いて、第３の工程として、上記した第２の工程でコンクリート製基板６Ａ上に配置したアンカーボルト７の先端部に、縦長さが約１００ｃｍ及び横長さが約６０ｃｍとした太陽電池パネル８をコンクリート製基板６Ａ上に略１０ｃｍ高さに略平行状となるように取り付ける。
【００８９】
また、太陽電池パネル８は、その上端９が第２の傾斜面４Ａの上端より略２０ｃｍほど突出した状態で取り付ける。
【００９０】
更に、第１の傾斜面３Ａ及び第２の傾斜面４Ａに向き合う傾斜面１３Ａに厚さが約５ｃｍとしたコンクリート板１２Ａを形成する。
【００９１】
なお、本実施の形態では、盛土を行う場合に、土砂を地盤改良材で固めるものであるが、本発明の太陽電池パネルの設置工法が、前記＜第１の実施の形態＞と同様に、必ずしも地盤改良材を使用する必要性はない。
【００９２】
しかし、盛土を行う場合に、土砂を地盤改良材で固めることで盛土の型崩れを阻止することができるために地盤改良材を使用することが望ましい。
【００９３】
また、本実施の形態では、第１の傾斜面及び第２の傾斜面上に基板を設けるものであるが、本発明の太陽電池パネルの設置工法が、前記＜第１の実施の形態＞と同様に、必ずしも基板を設ける必要性はない。
【００９４】
しかし、基板を設けた場合には、第１の傾斜面及び第２の傾斜面の表土の流出の防止、あるいは雑草を阻止することができるために基板を設けることが望ましい。
【００９５】
また、本実施の形態では、基板をコンクリートで形成するものであるが、本発明の太陽電池パネルの設置工法が、前記＜第１の実施の形態＞と同様に、必ずしも基板をコンクリートで形成する必要性はない。
【００９６】
しかし、現場の状況に応じて作成でき、かつ強耐性に優れた鉄筋を組み込むことができるコンクリートで基板を形成することが望ましい。
【００９７】
また、本実施の形態では、コンクリート製基板上に太陽電池パネルを架設するためにアンカーボルトを配置するものであるが、本発明の太陽電池パネルの設置工法が、前記＜第１の実施の形態＞と同様に、必ずしもアンカーボルトを設ける必要性はない。
【００９８】
しかし、コンクリート製基板を設ける場合に、アンカーボルトを組み込むことで太陽電池パネルの設置を容易、かつ強固に行うことができるためにアンカーボルトを設けることが望ましい。
【００９９】
また、本実施の形態では、コンクリート製基板から１０ｃｍの高さに太陽電池パネルを架設するものであるが、本発明の太陽電池パネルの設置工法が、前記＜第１の実施の形態＞と同様に、必ずしも太陽電池パネルを基板から略１０ｃｍの高さとする必要性はない。
【０１００】
しかし、湿気等による電気系統に影響を受けなく、かつ、風圧等の影響を考慮した場合に、約１０ｃｍの高さとすることが望ましい。
【０１０１】
また、本実施の形態では、基板をコンクリートで形成するものであるが、本発明の太陽電池パネルの設置工法が、前記＜第１の実施の形態＞と同様に、必ずしも基板をコンクリートで形成する必要性はない。
【０１０２】
また、本実施の形態では、前記＜第１の実施の形態＞と同様に、必ずしもコンクリート板を形成する必要性はない。
【０１０３】
しかし、太陽電池パネルによる発電効率の向上、あるいは傾斜面の表土の流出の防止や雑草を阻止することを考慮した場合に、コンクリート板を形成することが望ましい。
【０１０４】
以上の構成よりなる本発明を適用した太陽電池パネルの設置工法では、急な傾斜状の土地を切土し、その切土した土砂を盛土することで太陽電池パネルの設置に適した傾斜面を形成することが可能となる。
【０１０５】
これにより、太陽電池パネルの架台を必要とせずに太陽電池パネルを設置することが可能となる。
【０１０６】
また、全方位、どのような形状の土地にも太陽電池パネルの設置が可能となると共に、工期の短縮とコストの低減が可能となる。
【０１０７】
また、太陽電池パネルを設置する第１の傾斜面及び第２の傾斜面上にコンクリート製基板を設けることで風雨による表土の流出を防ぐと共に、雑草が生えるのを防止することができる。
【０１０８】
更に、雑草を生やさないために、コンクリート製基板を太陽電池パネルの南側の領域に設けることで、受光の妨げを抑制することが可能となる。
なお、コンクリートの施工性を考慮すると、第１の傾斜面及び第２の傾斜面の全面にコンクリート製基板を形成することが望ましい。
【０１０９】
また、それぞれの第１の傾斜面及び第２の傾斜面に取り付けた太陽電池パネル間の傾斜面にコンクリート板を形成することで、太陽光がコンクリート板に反射して太陽電池パネルの発電効率が上がる。
【０１１０】
更に、コンクリート板を設けることで風雨による表土の流出を防ぐと共に、雑草が生えるのを防止することができる。
【０１１１】
また、地表面に溝部を形成することで雨水を集水して排水することが可能となる。
【０１１２】
次に、上述した本発明を適用して太陽電池パネルの設置工法で設置された太陽電池パネルの設置構造について説明する。
即ち、前記図６に示すように、急な傾斜状された地表面１Ａを切土によって第１の傾斜面３Ａが形成されると共に、地表面１Ａ上に切土によって掘削された土砂２Ａを盛土して傾斜が第１の傾斜面３Ａと略同一の第２の傾斜面４Ａが形成されている。
【０１１３】
更に、第１の傾斜面３Ａと第２の傾斜面４Ａ上に、縦長さが約１００ｃｍ、横長さ約６０ｃｍ及び厚さが約１０ｃｍのコンクリート製基板６Ａが設置されている。
【０１１４】
このコンクリート製基板６Ａの上面１０の各コーナー部分に、高さが約１０ｃｍとしたアンカーボルト７がコンクリート製基板６Ａの上面１０に対して直角状に配置されている。
【０１１５】
ここで、コンクリート製基板６Ａの上面１０に配置されたアンカーボルト７の先端部に、縦長さが約１００ｃｍ及び横長さが約６０ｃｍとした太陽電池パネル８が、コンクリート製基板６Ａ上に略１０ｃｍ高さに略平行状となるように取り付けられている。
また、太陽電池パネル８は、その上端９が第２の傾斜面４Ａの上端より略２０ｃｍほど突出した状態で略平行状に取り付けられている。
【０１１６】
更に、第１の傾斜面３Ａ及び第２の傾斜面４Ａに向き合う傾斜面１３に厚さが約５ｃｍとしたコンクリート板１２Ａが形成されている。
【０１１７】
なお、本実施の形態では、コンクリート製基板から１０ｃｍの高さに太陽電池パネルが架設されるものであるが、太陽電池パネルの設置構造が、前記（第１の実施の形態＞と同様に、必ずしも太陽電池パネルを基板から略１０ｃｍの高さとする必要性はない。
【０１１８】
しかし、湿気等による電気系統に影響を受けなく、かつ、風圧等の影響を考慮した場合に、約１０ｃｍの高さとすることが望ましい。
【０１１９】
また、本実施の形態では、太陽電池パネルの南側の領域にコンクリート製基板が設けられた構成とするものであるが、太陽電池パネルの設置構造が、前記（第１の実施の形態＞と同様に、必ずしも太陽電池パネルの南側の領域にコンクリート製基板を設ける必要性はない。
【０１２０】
しかし、雑草を生やさないために、コンクリート製基板を太陽電池パネルの南側の領域に設けることで、受光の妨げを抑制することが可能となるために太陽電池パネルの南側の領域にコンクリート製基板を設けることが望ましい。
【０１２１】
また、本実施の形態では、前記＜第１の実施の形態＞と同様に、必ずしもコンクリート板を形成する必要性はない。
【０１２２】
しかし、太陽電池パネルによる発電効率の向上、あるいは傾斜面の表土の流出の防止や雑草を阻止することを考慮した場合に、コンクリート板を形成することが望ましい。
【０１２３】
以上の構成よりなる本発明を適用した太陽電池パネルの設置構造では、前記＜第２の実施の形態＞における太陽電池パネルの設置工法と同様に、急な傾斜状とされた地表面に太陽電池パネルの設置に適した傾斜面が形成されることで架台を必要とせずに太陽電池パネルを設置することが可能となる。
【０１２４】
また、第１の傾斜面及び第２の傾斜面上にコンクリート製基板が設けられることで風雨による表土の流出を防ぐと共に、雑草が生えるのを防止することができる。
【０１２５】
更に、雑草を生やさないために、太陽電池パネルの南側の領域にコンクリート製基板が設けることで、受光の妨げを抑制することが可能となる。
【０１２６】
また、それぞれの第１の傾斜面及び第２の傾斜面に取り付けた太陽電池パネル間の傾斜面にコンクリート板が形成されることで、太陽光がコンクリート板に反射して太陽電池パネルの発電効率が上がる。
【０１２７】
更に、コンクリート板が設けられることで風雨による表土の流出を防ぐと共に、雑草が生えるのを防止することが可能となる。
【符号の説明】
【０１２８】
１、１Ａ      地表面
２、２Ａ      土砂
３、３Ａ      第１の傾斜面
４、４Ａ      第２の傾斜面
６、６Ａ      基板
７            アンカーボルト
８            太陽電池パネル
９            上端
１０          上面
１１、１１Ａ  溝部
１２、１２Ａ  コンクリート板
１３、１３Ａ  傾斜面
【図１】
2014091953.tif 000003
【図２】
2014091953.tif 000004
【図３】
2014091953.tif 000005
【図４】
2014091953.tif 000006
【図５】
2014091953.tif 000007
【図６】
2014091953.tif 000008
【図７】
2014091953.tif 000009